(57)【要約】      （修正有）【課題】レボルバが傾いた場合等のように、レボルバの回転方向に予期しない力が加わった際にも、不用意に回転しないレボルバ及びレボルバを備えた観察装置を提供する。【解決手段】複数の対物レンズが装着されたレボルバ回転体と、レボルバ回転体を回転可能に支持する支持部とを有する観察装置のレボルバにおいて、レボルバ回転体の支持部に対する回転が可能な状態と、レボルバ回転体の支持部に対する回転を阻止した状態とに切り替える状態切替手段１２を有する。【選択図】図２−１
2010145662.tif 000002
【特許請求の範囲】
【請求項１】
複数の光学素子が装着されたレボルバ回転体と、該レボルバ回転体を回転可能に支持する支持部とを有する観察装置のレボルバにおいて、
前記レボルバ回転体の前記支持部に対する回転が可能な状態と、前記レボルバ回転体の前記支持部に対する回転を阻止した状態とに切り替える状態切替手段を有することを特徴とするレボルバ。
【請求項２】
前記状態切替手段は、
前記レボルバ回転体又は前記支持部の何れか一方に備えられた係合部と、
前記レボルバ回転体又は前記支持部の何れか他方に備えられ、前記係合部に係合する係合状態と、前記係合部との係合を解除する係合解除状態とに移動可能な係止部材とを有することを特徴とする請求項１に記載のレボルバ。
【請求項３】
前記係合部は凹状に形成され、前記係止部材は、前記係合部に挿抜自在に設けられていることを特徴とする請求項２に記載のレボルバ。
【請求項４】
前記係止部材は、前記係合部と接離自在に設けられているとともに、前記係合部に接している際には、その摩擦力によってレボルバ回転体の回転を阻止するように形成されていることを特徴とする請求項２に記載のレボルバ。
【請求項５】
前記係止部材を前記係合部と係合する方向に付勢する付勢手段を有することを特徴とする請求項３又は４に記載のレボルバ。
【請求項６】
請求項１〜５の何れか一つに記載のレボルバを備えていることを特徴とする観察装置。
【請求項７】
前記支持部は鉛直方向に対して傾斜可能にされており、前記レボルバ回転体は、該支持部が鉛直方向に対して傾斜された際に、回転を阻止された状態に切り替えられることを特徴とする請求項１に記載のレボルバ。
【請求項８】
請求項２に記載のレボルバを備え、前記係合部とは別に、前記係止部材が係合される観察装置側係合部を有することを特徴とする観察装置。
【発明の詳細な説明】
【技術分野】
【０００１】
本発明は、レボルバ及びレボルバを備えた観察装置に関するものである。
【背景技術】
【０００２】
従来、標本を任意の角度から観察するために、対物レンズ（光学素子）を含む観察光学系を標本に対して傾けることが可能な顕微鏡（観察装置）がある（例えば特許文献１参照）。
【０００３】
しかし、この特許文献１に記載のような顕微鏡は、対物レンズを１種類しか備えておらず、異なる倍率レンジで観察を行う場合、対物レンズもしくは対物レンズを含む光学系ごと他のものと交換する必要がある。この交換作業は、大変煩わしいものであり、従来の顕微鏡のレボルバのようなものの適用が期待されている。
【０００４】
従来のレボルバは、位置決め機構としてクリック機構を備えている（例えば特許文献２参照）。このクリック機構は、レボルバ回転部材の周縁に各対物レンズに対応するように設けられたクリック溝と、板バネと、板バネの先端に設けられたベアリングとを有し、ベアリングをクリック溝に落ち込ませることによって対物レンズの位置決めが行われる。
【０００５】
【特許文献１】特開２００６−３３７４７１号公報
【特許文献２】特開２００６−２７６１９２号公報
【発明の開示】
【発明が解決しようとする課題】
【０００６】
しかし、このような従来のレボルバを上述した顕微鏡に適用した場合、レボルバを傾けた際等に、対物レンズの重み等によってレボルバ回転部材が不用意に回転してしまい、対物レンズがステージに衝突する、或いは対物レンズが標本に衝突する恐れがある。
【０００７】
また、クリック機構の固定力を増すことによってこの問題に対処しようとすると、回転操作性が悪化するという問題がある。
【０００８】
そこで、本発明はこのような従来の問題に鑑み、回転操作性を悪化させることなく、レボルバが傾いた場合等のように、レボルバの回転方向に予期しない力が加わった際にも、不用意に回転しないレボルバ及びレボルバを備えた観察装置の提供を目的としてなされたものである。
【課題を解決するための手段】
【０００９】
上述の如き従来の問題を解決し、所期の目的を達成するための本発明にかかるレボルバの特徴は、複数の対物レンズが装着されたレボルバ回転体と、該レボルバ回転体を回転可能に支持する支持部とを有する観察装置のレボルバにおいて、前記レボルバ回転体の前記支持部に対する回転が可能な状態と、前記レボルバ回転体の前記支持部に対する回転を阻止した状態とに切り替える状態切替手段を有することにある。
【００１０】
また、本発明にかかるレボルバの特徴は、上記構成に加えて、前記状態切替手段は、前記レボルバ回転体又は前記支持部の何れか一方に備えられた係合部と、前記レボルバ回転体又は前記支持部の何れか他方に備えられ、前記係合部に係合する係合状態と、前記係合部との係合を解除する係合解除状態とに移動可能な係止部材とを有することにある。
【００１１】
本発明にかかるレボルバの特徴は、上記構成に加えて、前記係合部は凹状に形成され、前記係止部材は、前記係合部に挿抜自在に設けられていることにある。
【００１２】
本発明にかかるレボルバの特徴は、上記構成に加えて、前記係止部材は、前記係合部と離接自在に設けられているとともに、前記係合部に接している際には、その摩擦力によってレボルバ回転体の回転を阻止するように形成されていることにある。
【００１３】
本発明にかかるレボルバの特徴は、上記構成に加えて、前記係止部材を前記係合部と係合する方向に付勢する付勢手段を有することを特徴とすることにある。
【００１４】
本発明にかかる観察装置の特徴は、上記構成のレボルバを備えていることにある。
【００１５】
本発明にかかるレボルバの特徴は、上記構成に加えて、前記支持部は鉛直方向に対して傾斜可能にされており、前記レボルバ回転体は、該支持部が鉛直方向に対して傾斜された際に、回転を阻止された状態に切り替えられることを特徴とすることにある。
【００１６】
本発明にかかる観察装置の特徴は、上記構成のレボルバを備え、前記係合部とは別に、前記係止部材が係合される観察装置側係合部を有する。
【発明の効果】
【００１７】
本発明に係る観察装置のレボルバは、レボルバ回転体の回転を可能な状態と、レボルバ回転体の回転を阻止した状態とに切り替える状態切替手段を有するので、斜め観察時等において顕微鏡が傾いた状態となった場合においても、レボルバ回転体の不用意な回転を防止することができる。しかも、回転可能状態として、回転操作を行うことができるので、回転操作性の悪化を防止できる。
【発明を実施するための最良の形態】
【００１８】
以下に、本発明に係るレボルバ及びレボルバを備えた観察装置の実施の形態を図面に基づいて詳細に説明する。以下、図においてＸ軸方向が観察装置の左右方向、Ｙ軸方向が観察装置の前後方向、Ｚ軸方向が観察装置の上下方向である。
【００１９】
（実施の形態１）
図１〜図２は、本発明の実施の形態１を示している。顕微鏡１（観察装置）は、机上等に置いて使用するものである。そして、得られた像をモニタ等の表示装置に表示して観察するものである。この顕微鏡１は、ベース部２、ステージ３、顕微鏡本体４、支柱５を有している。ベース部２は、机上等に直接設置される部分であり、顕微鏡全体を支持する台である。このベース部２上にステージ３と支柱５が設置されている。
【００２０】
ステージ３は、観察対象物である標本Ａが載置される部分である。ステージ３上面には、標本Ａが載置される標本載置面３ａが形成されている。また、このステージ３の背面側に、支柱５が立設されている。
【００２１】
支柱５は柱状に形成されている。そして、支柱５の下端側が、ベース部２に形成された支柱支持部５ａに支持されている。また、支柱５は、ベース部２に対して、支柱支持部５ａを中心として顕微鏡１の前後方向に伸びる水平軸周りに回動する。支柱５を回動させた際には、所定の角度で固定できる。この支柱５の前側には、顕微鏡本体４が設置され、顕微鏡本体４がステージ３の標本載置面３ａ上方に配置されている。また、この顕微鏡本体４は、焦準機構４ａを介して支柱５に支持されており、焦準ハンドル４ｂの操作により、焦準機構４ａとともに支柱５に沿って上下に移動する。
【００２２】
顕微鏡本体４は、撮像部６、ズームヘッド（支持部）７、レボルバ回転体８を有している。撮像部６には、ＣＣＤカメラ等の撮像デバイス６ａが備えられている。撮像部６は、ズームヘッド７の上部に設置されている。ズームヘッド７は、箱状に形成され、中にズームレンズ７ａ，７ａ、結像レンズ７ｂ、ハーフミラー７ｃ、光源７ｄが備えられている。このズームヘッド７の下部にレボルバ回転体８が設置されている。
【００２３】
レボルバ回転体８には、その回転の中心軸となる回転軸８ｂが備えられている。この回転軸８ｂは、レボルバ回転体８から上方に突出するように形成されている。そして、回転軸８ｂは、ズームヘッド７の底板９に支持されている。また、この回転軸８ｂは、ズームヘッド７に対して回転可能に支持されている。回転軸８ｂは、ズームヘッド７の下面と略垂直になるように設置されている。そして、レボルバ回転体８が、底板９下面に沿って回転するようになっている。レボルバ回転体８には、複数の対物レンズ８ａ（光学素子）が回転軸８ｂの周りに下向きに突設されている。レボルバ回転体８を回転させることによって、観察光軸Ｌ上に配置する対物レンズ８ａを切り替えることができるようになっている。
【００２４】
観察光軸Ｌ上には、下から順番に対物レンズ８ａ、ハーフミラー７ｃ、ズームレンズ７ａ，７ａ、結像レンズ７ｂ、撮像デバイス６ａが配置されている。光源７ｄから出射された照明光は、ハーフミラー７ｃによって反射され、標本Ａの方向に向きを変える。その後、照明光は、対物レンズ８ａを透過し、標本Ａに集光照射される。標本Ａからの反射光は、対物レンズ８ａおよびハーフミラー７ｃを透過し、ズームレンズ７ａ，７ａを経て結像レンズ７ｂに入射する。そして、この結像レンズ７ｂによって撮像デバイス６ａに結像される。
【００２５】
この顕微鏡１には、クリック機構１１と状態切替手段１２とが備えられている。クリック機構１１は、レボルバ回転体８を回転させた際の停止位置を決めるための、即ち、対物レンズ８ａの位置決めをするためのものである。ここで言う対物レンズ８ａの位置決めとは、観察に使用する対物レンズ８ａを観察光軸Ｌ上に配置することである。このクリック機構１１は、板バネ１１ａと、ベアリング１１ｂと、クリック溝１１ｃとから構成されている。
【００２６】
板バネ１１ａは、一端側がズームヘッド７の下部側面に固定され、他端側にベアリング１１ｂが設置されている。ベアリング１１ｂは円筒形に形成され、回動可能に板バネ１１ａに支持されている。また、このベアリング１１ｂは、レボルバ回転体８の下面を転動するようになっている。レボルバ回転体８の下面周縁部には、クリック溝１１ｃが形成されている。クリック溝１１ｃは、ベアリング１１ｂが落ち込む溝状に形成されている。また、クリック溝１１ｃは、各対物レンズ８ａに対応して対物レンズ８ａの個数分形成され、クリック溝１１ｃにベアリング１１ｂが落ち込むことにより、対物レンズ８ａの位置決めが行われるようになっている。即ち、観察に使用する対物レンズ８ａが観察光軸Ｌ上に配置された際に、ベアリング１１ｂがクリック溝１１ｃに落ち込むようになっている。
【００２７】
状態切替手段１２は、レボルバ回転体８が回転可能な状態と、レボルバ回転体８の回転を阻止した状態とに切り替えるものである。この状態切替手段１２は、係止部材１３と、係止部材１３が係合される係合部１４とを有している。そして、この係止部材１３が係合部１４に係合されることにより、レボルバ回転体８の回転を阻止するようになっている。また、この係止部材１３と係合部１４の係合を解除することにより、レボルバ回転体８が回転可能状態となるようになっている。
【００２８】
係止部材１３は、略縦長棒状に形成されている。そして、係止部材１３の長さ方向一端側には、操作レバー１５が取り付けられている。また、係止部材１３の長さ方向他端側は、レボルバ回転体８に孔状に形成された係合部１４に挿入されるようになっている。また、係止部材１３の胴部には、フランジ状に形成されたフランジ部１３ａが形成されている。
【００２９】
操作レバー１５は、棒状に形成されている。操作レバー１５の長さ方向一端が係止部材１３の上部に取り付けられている。操作レバー１５の長さ方向他端は、ズームヘッド７の側壁１６に形成された貫通孔１７を介して、ズームヘッド７の側面から外側に突出している。
【００３０】
係止部材１３は、ズームヘッド７の底板９に設けられた係止部材設置用孔１８に嵌挿されている。係止部材１３は、底板９に対して上下にスライド可能に設置されている。
【００３１】
係止部材設置用孔１８は、底板９の表裏を貫通するように形成されている。そして、係止部材設置用孔１８の下部には、内向きフランジ状に突出した下側段差部１８ａが形成されている。係止部材設置用孔１８の上部にはネジが切られたネジ部が形成されており、このネジ部に、外周にネジが切られた円筒状の押さえネジ１８ｂを螺着させて上側段差部としている。
【００３２】
係止部材設置用孔１８の押さえネジ１８ｂと下側段差部１８ａの間に、係止部材１３のフランジ部１３ａが位置するようになっている。係止部材１３が下にスライドした際には、フランジ部１３ａが下側段差部１８ａに当接し、係止部材１３が下に落ちないようになっている。
【００３３】
また、係止部材設置用孔１８において、押さえネジ１８ｂと係止部材１３のフランジ部１３ａの間には、コイルバネ１９が設置されている。コイルバネ１９は、係止部材１３の胴部周囲に配置されている。コイルバネ１９の一端は、係止部材１３のフランジ部１３ａに当接され、コイルバネ１９の他端は、下側段差部１８ａに当接されている。このコイルバネ１９によって、係止部材１３が上側段差部に対して、レボルバ回転体８側、即ち下側に付勢されている。押さえネジ１８ｂの係止部材設置用孔１８に対するねじ込み量の調節によって、コイルバネ１９の係止部材１３に対する付勢力の調整が可能である。
【００３４】
また、係止部材１３は、係止部材設置用孔１８の下側開口から、下端が突出している。この下方に突出した係止部材１３の下端は、レボルバ回転体８に形成された係合部１４に挿入されている。
【００３５】
係合部１４は、レボルバ回転体８の上下に貫通する孔状に形成されている。係合部１４は、各対物レンズ８ａと対応するように設けられている。即ち、観察に使用する対物レンズ８ａが観察光軸Ｌ上に配置された際に、その対物レンズ８ａに対応する係合部１４が係止部材設置用孔１８と同軸配置となる。その際には、当然、ベアリング１１ｂが、観察に使用する対物レンズ８ａに対応するクリック溝１１ｃに落ち込んで位置決めがなされている。
【００３６】
以下、上述の顕微鏡１における対物レンズ８ａの切り替えについて説明する。通常、係止部材１３の先端が、係合部１４に挿入されて、レボルバ回転体８の回転が阻止された状態となっている。この状態から、ズームヘッド７の側壁１６から突出している操作レバー１５をつまんで、上方にスライド移動させることにより、係止部材１３が上方にスライド移動し、図２−２に示すように、係止部材１３の先端が係合部１４から離脱し、レボルバ回転体８が回転可能の状態となる。
【００３７】
この状態で、レボルバ回転体８を回転させ、対物レンズ８ａの切り換えを行う。レボルバ回転体８を回転させて、所望の対物レンズ８ａを観察光軸Ｌ上に配置した後に、操作レバー１５を離すと、コイルバネ１９の付勢によって係止部材１３が係合部１４に自動的に係合される。従って、レボルバ回転体８の係止忘れを防止できる。
【００３８】
また、支柱５を回動させて、顕微鏡本体４を標本Ａに対して傾いた状態とすることにより、所望の角度から標本Ａを観察する斜め観察を行う際にも、不用意にレボルバ回転体８が回転することを防止することができる。更に、顕微鏡１から顕微鏡本体４を取り外して観察を行う取り外し観察時においても、レボルバ回転体８の不用意な回転を確実に防止することができる。即ち、レボルバ回転体８の回転方向に予期しない力が加わった際のレボルバ回転体８の不用意な回転を防止できる。
【００３９】
更に、係止部材１３と係合部１４の係合を解除した状態では、従来の顕微鏡と同様にレボルバ回転体８を回転させることができるので、レボルバ回転体８の回転操作性を良好に保つことができる。
【００４０】
本実施の形態１における係止部材１３と係合部１４は、レボルバ回転体８の回転方向に対向するように係合されるので、レボルバ回転体８の回転を確実に阻止することができる。クリック機構１１は、従来と同様の位置決め機能を有していればよい。
【００４１】
尚、回転軸８ｂは、本実施の形態１においては、レボルバ回転体８側に固定されているが、ズームヘッド７側に固定されていてもよい。また、本実施の形態１においては、係止部材１３がズームヘッド７に設置され、係合部１４はレボルバ回転体８に形成されているが、係止部材１３をレボルバ回転体８に設置し、係合部１４をズームヘッド７に形成してもよい。
【００４２】
（実施の形態２）
図３〜図５は、本発明における実施の形態２を示している。以下、実施の形態１で説明した部分と同様な部分には同じ符号を付し、説明を省略する。
【００４３】
本実施の形態２における顕微鏡２０（観察装置）に備えられているズームヘッド２２（支持部）は、箱状に形成され、底板２２ａ及びその周囲から立ち上がる側壁２２ｂを有している。ズームヘッド２２内部には、ズームレンズ７ａ，７ａ、結像レンズ７ｂ、ハーフミラー７ｃ、光源７ｄが備えられている。ズームヘッド２２の上部には、撮像部６が設置されている。
【００４４】
ズームヘッド２２の下部には、レボルバ回転体２３が設置されている。レボルバ回転体２３には、その回転の中心軸となる回転軸２３ａが備えられている。この回転軸２３ａは、レボルバ回転体２３から上方に突出するように形成されている。回転軸２３ａは、ズームヘッド２２の底板２２ａに支持されている。レボルバ回転体２３には、回転軸２３ａの周りに、複数の対物レンズ８ａが下向きに突設されている。この回転軸２３ａは、ズームヘッド２２の下面と略垂直になるように設置されている。そして、レボルバ回転体２３が、底板２２ａ下面に沿って回転するようになっている。そして、レボルバ回転体２３を回転させることにより、観察光軸Ｌ上に配置する対物レンズ８ａを切り替えることができるようになっている。
【００４５】
状態切替手段２１は、レボルバ回転体２３が回転可能な状態と、レボルバ回転体２３の回転を阻止した状態とに切り替えるものである。この状態切替手段２１は、係止部材２４と、係止部材２４が係合される係合部である回転軸２３ａとを有している。この状態切替手段２１は、係止部材２４の端部を、レボルバ回転体２３の回転軸２３ａに当接させ、摩擦によって、回転軸２３ａの回転を阻止し、係止部材２４と回転軸２３ａの係合を解除することにより、レボルバ回転体２３が回転可能状態とする。
【００４６】
係止部材２４は、略棒状に形成されている。また、係止部材２４の長さ方向一端側が、係止部材２４を操作するための操作部２４ａとなっている。係止部材２４の長さ方向他端側は、レボルバ回転体２３の回転軸２３ａに当接する当接部２４ｂとなっている。また、係止部材２４の操作部２４ａと当接部２４ｂの間は、胴部２４ｃとなっている。操作部２４ａが胴部２４ｃより細く形成されることにより、操作部２４ａと胴部２４ｃとの間に段差が形成されている。
【００４７】
係止部材２４の当接部２４ｂは、回転軸２３ａに嵌合するように凹状に形成されており、その凹状部分が摩擦部材２４ｄで覆われている。そして、この摩擦部材２４ｄが回転軸２３ａに当接するようになっている。係止部材２４は、ズームヘッド２２の側壁２２ｂに設けられた係止部材設置部２５に設置されている。
【００４８】
係止部材設置部２５は、筒状に形成されている。また、ズームヘッド２２の側壁２２ｂからズームヘッド２２内に向けて突出するように形成されている。係止部材設置部２５は、その筒状の内部空間である貫通孔２６によって側壁２２ｂ内側の空間と側壁２２ｂ外側の空間を連通している。この貫通孔２６内に、係止部材２４が、その操作部２４ａをズームヘッド２２の外側に露出するとともに、当接部２４ｂをレボルバ回転体２３の回転軸２３ａに当接させるように設置されている。
【００４９】
貫通孔２６内には、段差部２６ａが形成されている。この段差部２６ａは、貫通孔２６のズームヘッド２２外側部分を、貫通孔２６のズームヘッド２２内側部分より細く形成することにより段差状に形成している。そして、この段差部２６ａと、係止部材２４の胴部２４ｃの間にコイルバネ２７が設置されている。
【００５０】
このコイルバネ２７は、係止部材２４を回転軸２３ａに当接する方向に付勢する付勢手段である。コイルバネ２７は、係止部材２４の操作部２４ａの周囲に配置されている。コイルバネ２７の一端が、係止部材２４の胴部２４ｃの操作部２４ａ側段差面に当接し、他端が、段差部２６ａの段差面に当接している。また、コイルバネ２７の付勢量は、操作部２４ａの周囲に嵌合するようにワッシャーを設置し、コイルバネ２７の端部をワッシャーに当接させるようにすることにより、調整することができる。
【００５１】
以下、上述の顕微鏡２０の対物レンズ８ａの切り替えについて説明する。係止部材２４は、回転軸２３ａ側に付勢されており、通常図４−１に示すように、当接部２４ｂが回転軸２３ａに当接した状態となっている。この状態では、レボルバ回転体２３の回転が阻止された状態となっている。対物レンズ８ａを切り替える際には、操作部２４ａを引っ張るように操作することにより、図４−２に示すように、当接部２４ｂを回転軸２３ａから離し、レボルバ回転体２３が回転可能な状態とする。この状態で、レボルバ回転体２３を回転させ、所望の対物レンズ８ａを観察光軸Ｌ上に配置する。操作２４ａを離すと、コイルバネ２７（付勢手段）の付勢によって係止部材２４が回転軸２３ａに自動的に押し当てられる。従って、レボルバ回転体２３の係止忘れを防止できる。
【００５２】
また、支柱５を回動させて斜め観察を行う際にも、不用意にレボルバ回転体２３が回転することを防止することができる。更に、顕微鏡２０からズームヘッド２２を取り外して観察を行う取り外し観察時においても、レボルバ回転体２３の不用意な回転を確実に防止することができる。即ち、レボルバ回転体２３の回転方向に予期しない力が加わった際のレボルバ回転体２３の不用意な回転を防止できる。
【００５３】
更に、係止部材２４と回転軸２３ａの係合を解除した状態では、従来の顕微鏡と同様にレボルバ回転体２３を回転させることができるので、レボルバ回転体２３の回転操作性を良好に保つことができる。
【００５４】
本実施の形態２においては、回転軸２３ａを直接固定しているので、レボルバ回転体２３のズームヘッド２２に対する固定に遊びがない。従って、レボルバ回転体２３のズームヘッド２２に対する高精度な位置決めができる。即ち、斜め観察時等のレボルバ回転体２３に回転方向の力が加わった際に、レボルバ回転体２３がズームヘッド２２に対して回転方向にぶれることを防止することができる。尚、回転軸２３ａを係止するのに、電磁クラッチ等を使用してもよい。
【００５５】
また、本実施の形態２においては、回転軸２３ａを係合部としているが、レボルバ回転体２３の他の部分でもよい。また、本実施の形態２においては、係止部材２４がズームヘッド２２に設置され、係合部はレボルバ回転体２３の回転軸２３ａとなっているが、係止部材２４をレボルバ回転体２３に設置し、ズームヘッド２２に係合部を設けてもよい。
【００５６】
（実施の形態３）
図６〜図８は、本発明における実施の形態３を示している。以下、実施の形態１で説明した部分と同様な部分には同じ符号を付し、説明を省略する。
【００５７】
本実施の形態３における顕微鏡３１（観察装置）は、ベース部３２、ステージ３、顕微鏡本体３３、支柱３４を有している。ベース部３２は、机上等に直接設置される部分であり、顕微鏡３１全体を支持する台である。このベース部３２上にステージ３と支柱３４が設置されている。
【００５８】
支柱３４は、ステージ３の背面側に立設されている。支柱３４は、ベース部３２に形成された支柱支持部５ａに支持されている。支柱３４は、支柱支持部３４ａを中心として顕微鏡１の前後方向に伸びる水平軸周りに回動するようになっており、所定の角度で固定できるようになっている。この支柱３４の前面には、顕微鏡本体３３が設置され、顕微鏡本体３３がステージ３の標本載置面３ａ上方に配置されている。
【００５９】
顕微鏡本体３３は、撮像部６、ズームヘッド３５（支持部）、レボルバ回転体３６を有している。ズームヘッド３５は、箱状に形成され、中にズームレンズ７ａ，７ａ、結像レンズ７ｂ、ハーフミラー７ｃ、光源７ｄが備えられている。ズームヘッド３５の上部には、撮像部６が設置されている。ズームヘッド３５の下部には、レボルバ回転体３６が設置されている。
【００６０】
レボルバ回転体３６には、その回転の中心軸となる回転軸３６ａを有している。この回転軸３６ａは、レボルバ回転体３６から上方に突出するように形成され、ズームヘッド３５の底板に支持されている。回転軸３６ａは、ズームヘッド３５の下面と略垂直になるように設置されている。そして、レボルバ回転体３６が、ズームヘッド３５の下面に沿って回転するようになっている。回転軸３６ａの周りに下向きに、複数の対物レンズ８ａが突設されている。そして、レボルバ回転体３６を回転させることにより、観察光軸Ｌ上に配置する対物レンズ８ａを切り替えることができるようになっている。
【００６１】
この顕微鏡３１は、状態切替手段３７を備えている。状態切替手段３７は、レボルバ回転体３６の回転が可能な状態と、レボルバ回転体３６の回転を阻止した状態とを切り替えるものである。この状態切替手段３７は、支柱３４に備えられた係止部材３８とレボルバ側係合部３９とベース部側係合部４０とを有している。
【００６２】
係止部材３８は、略Ｌ字形の板状に形成され、Ｌ字形の右下側端部が支柱３４に軸支されている。係止部材３８Ｌ字の左側部分は、レボルバ回転体３６の係合部であるレボルバ側係合部３９に係合される。係止部材３８は、支柱３４の回動方向側、即ち支柱３４の右側面に設置されている。係止部材３８は、レボルバ側係合部３９に係合されている状態で、顕微鏡３１右側面からみてＬ字状となるように設置されている。係止部材３８は、軸支されている部分を中心に、顕微鏡３１前後方向に１８０度回動するようになっている。
【００６３】
レボルバ側係合部３９は、レボルバ回転体３６の端部に、上下方向に溝状に切れ込みを入れた形状に形成されている。また、レボルバ回転体３６の端部は、ズームヘッド３５よりも支柱３４側に突出するように形成されている。そして、この突出するレボルバ回転体３６の端部に、レボルバ側係合部３９が形成されているので、係止部材３８を回動させて、レボルバ側係合部３９に嵌挿することができる。
【００６４】
また、ベース部３２にも係合部が形成されており、係止部材３８が係合するようになっている。このベース側の係合部であるベース部側係合部４０は、ベース部３２の表面に溝状に形成されており、係止部材３８の先端部が嵌合するようになっている。
【００６５】
支柱３４の係止部材３８が設置されている側には、ストッパ部４１，４１が突出するように設けられている。ストッパ部４１，４１は支柱３４の右側面に、係止部材３８の回転中心の前側と後側に設けられている。このストッパ部４１は、係止部材３８を回動させた際に係止部材３８が当接し、レボルバ側係合部３９もしくはベース部側係合部４０に係合する位置より先に回転しないように形成されている。
【００６６】
支柱３４には、係止部材３８の回転中心軸となる回転軸４２が設けられている。回転軸４２は略棒状に形成され、長さ方向一端側に片寄せてフランジ部４２ａが形成されている。回転軸４２は、支柱３４の右側面から左側面にかけて貫通し、回転軸４２の長さ方向他端側が支柱３４の左側面から突出するように設置されている。
回転軸４２の長さ方向他端側には、カラー４３がビス４４で固定されている。また、カラー４３と支柱３４の左側面の間に、カラー４３と支柱３４の左側面に挟まれるように、ドーナツ状の摩擦軽減部材４６と板バネ４５が、回転軸４２に挿通されて設置されている。
回転軸４２の長さ方向一端側は、フランジ部４２ａとともに、支柱３４の右側面に露出しており、先端に操作ツマミ４８がビス固定されている。そして、操作ツマミ４８とフランジ部４２ａに挟まれるように係止部材３８が設置されている。回転軸４２と係止部材３８は、支柱３４に対して一緒に回転する。また、フランジ部４２ａと支柱３４の右側面の間には、フランジ部４２ａと支柱３４の右側面に挟まれるように、ドーナツ状の摩擦軽減部材４７が回転軸４２に挿通させて設置されている。これら、摩擦軽減部材４６，４７及び板バネ４５によって、係止部材３８の回動に重みをつけている。
【００６７】
以下、上述の顕微鏡３１における対物レンズ８ａの切り替えについて説明する。通常の顕微鏡として使用する際は、係止部材３８をベース部側係合部４０に係合させた状態としておく。この状態では、レボルバ回転体３６は、自由に回転させることができ、図示しないクリック機構によって、対物レンズ８ａの切り替え位置決めができるようになっている。また、この状態では、支柱３４を回動させようとしても、係止部材３８がベース部側係合部４０に係合されているので、支柱３４が回動しない。
【００６８】
支柱３４を回動させ、斜め観察を行う際には、まず、観察に使用する対物レンズ８ａを観察光軸Ｌ上に配置する。そうしてから、係止部材３８を回動させて、レボルバ側係合部３９と係合させた状態とする。この状態で、支柱３４が回動可能となる。また、レボルバ回転体３６の回転は阻止された状態となる。
【００６９】
この顕微鏡３１は、通常は、レボルバ回転体３６の回転が可能となっており、対物レンズ８ａを自由に切り替えることができ、作業効率がよい。また、係止部材３８をベース部側係合部４０に係合させた状態では、支柱３４の回動が阻止されており、この係止部材３８を回動させてレボルバ側係合部３９と係合させることにより、支柱３４が回動可能となるので、支柱３４を回動させた際のレボルバ回転体の不用意な回転を防止することができる。
【００７０】
尚、レボルバ回転体３６が一方向のみに回転する場合、レボルバ回転体３６の回転方向側の側面に当接させることにより、レボルバ回転体３６の回転を阻止した状態とするようにしてもよい。また、ベース部側係合部４０は、単に、ベース部３２の表面に係止部材３８を当接させるようにしたものでもよい。
【００７１】
また、支柱３４を回動させて斜め観察を行う際に、この支柱３４を回動させる動作を検出し、レボルバ回転体３６の回転を自動的に阻止するような構成にしても良いことは勿論である。この場合、例えば、支柱３４の回動動作の開始を姿勢センサ等により検出し、プランジャー等の駆動手段によって駆動される係止部材によってレボルバ回転体３６の回転を阻止するような構成が考えられる。
【００７２】
（実施の形態４）
図９〜図１０は、本発明における実施の形態４を示している。以下、実施の形態１で説明した部分と同様な部分には同じ符号を付し、説明を省略する。
顕微鏡５１（観察装置）に備えられているズームヘッド５２は、箱状に形成され、底板５２ａ及びその周囲から立ち上がる側壁５２ｂを有している。ズームヘッド５２の上部には、撮像部６が設置されている。ズームヘッド５２内には、内枠５２ｃ（支持部）と電動モータ７０と結像レンズ７ｂが備えられている。内枠５２ｃは箱状に形成され、中にズームレンズ７ａ，７ａ、ハーフミラー７ｃ、光源７ｄを有している。内枠５２ｃは、電動モータ７０によって上下に移動する電動焦準機構となっている。内枠５２ｃの下部先端は、内枠５２ｃが下に移動した際に、底板５２ａに形成された貫通孔から下方に突出する。
【００７３】
顕微鏡５１に備えられているレボルバ回転体５３は、ズームヘッド５２の下部に設置されている。レボルバ回転体５３には、その回転の中心軸となる回転軸５３ａが備えられている。この回転軸５３ａは、レボルバ回転体５３から上方に突出するように形成されている。そして、回転軸５３ａは、内枠５２ｃの底部に支持されている。レボルバ回転体５３には、回転軸５３ａの周りに、複数の対物レンズ８ａが下向きに突設されている。この回転軸５３ａは、内枠５２ｃの下面と略垂直になるように設置されている。そして、レボルバ回転体５３が、内枠５２ｃの下面に沿って回転するようになっている。そして、レボルバ回転体５３を回転させることにより、観察光軸Ｌ上に配置する対物レンズ８ａを切り替えることができるようになっている。また、レボルバ回転体５３は、平面的にみて矩形状に形成されている。レボルバ回転体５３は、内枠５２ｃとともに上下にスライドするようになっている。
【００７４】
顕微鏡５１に備えられている状態切替手段５４は、レボルバ回転体５３が回転可能な状態と、レボルバ回転体５３の回転を阻止した状態とに切り替えるものである。この状態切替手段５４は、回転規制部材５５（係止部材）を有している。そして、この回転規制部材５５をレボルバ回転体５３に当接させて、その回転を阻止するようになっている。
【００７５】
回転規制部材５５は、略板状に形成されている。回転規制部材５５は、その板状面がズームヘッド５２の上下方向と平行となるようにズームヘッド５２内に設置されている。より詳細には、回転規制部材５５の板状面がズームヘッド５２の右側面と平行となるように回転規制部材５５がズームヘッド５２内に設置されている。そして、回転規制部材５５は、ズームヘッド５２に対して、上下にスライド移動するようになっている。更に、回転規制部材５５は、ズームヘッド５２から下方に突出し、レボルバ回転体５３に係合されるようになっている。回転規制部材５５は、図１０−２に２点鎖線で示すように、レボルバ回転体５３が電動モータ７０によって、下方に移動した際にも、レボルバ回転体５３と係合する。回転規制部材５５には、下向きの傾斜面５５ａと付勢手段固定部５５ｂが形成されている。
【００７６】
傾斜面５５ａは、顕微鏡５１の右側面から見て、回転規制部材５５の左上から右下にかけて傾斜するように形成されている。また、この傾斜面５５ａは、回転規制部材５５の左側端部に形成されている。
【００７７】
付勢手段固定部５５ｂは、板状材を回転規制部材５５の背面側の板状面に重ね合わせたような形状に形成されている。またこの付勢手段固定部５５ｂは、回転規制部材５５の背面上側に形成されている。
【００７８】
回転規制部材５５は、ズームヘッド５２に設けられた回転規制部材設置部５７に設置されている。回転規制部材設置部５７は、ズームヘッド５２の右側面を構成する側壁５２ｂと、この側壁５２ｂと平行にズームヘッド５２の底板５２ａから立ち上がるように形成された内壁５８と、底板５２ａから構成されている。そして、この内壁５８と側壁５２ｂの間に挟まれるように、回転規制部材５５が設置されている。即ち、回転規制部材５５の板状面がこれらの壁と平行となるように設置されている。
【００７９】
内壁５８と側壁５２ｂの間の底板５２ａの部分には、ガイド孔５９が形成されている。このガイド孔５９は、溝状に形成され、底板５２ａの表裏に貫通している。そして、このガイド孔５９には、回転規制部材５５が嵌挿されており、回転規制部材５５の端部が、ガイド孔５９の下方に突出している。この回転規制部材５５のズームヘッド５２から突出している部分がレボルバ回転体５３の側面（係合部）５３ａに当接し、レボルバ回転体５３の回転を阻止する。
【００８０】
また、回転規制部材設置部５７にはコイルバネ５６（付勢手段）が複数設置されている。このコイルバネ５６，５６……は、一端が付勢手段固定部５５ｂの下端部に固定され、他端が底板５２ａに固定されている。そして、このコイルバネ５６，５６……によって回転規制部材５５を下方に付勢している。
【００８１】
回転規制部材設置部５７を構成する側壁５２ｂと内壁５８には、長穴６１，６２が形成されている。この長穴６１，６２は、横長に形成されている。そして、側壁５２ｂの長穴６１と内壁５８の長穴６２に掛け渡されるように操作手段６３が設置されている。
【００８２】
操作手段６３は、棒状に形成されている。この操作手段６３一端側は、ズームヘッド５２の外側に露出し、ツマミ部６３ａとなっている。操作手段６３の他端側は、内壁５８から突出し、その突出した部分にナット６３ｂが螺着されている。
【００８３】
操作手段６３は、その胴部が回転規制部材５５の傾斜面５５ａに当接されている。操作手段６３は、長穴６１，６２に沿って、横方向にスライドするようになっている。そして、このスライドにより、回転規制部材５５が押し上げられるようになっている。即ち、回転規制部材５５の傾斜面５５ａの上の方に当接していた操作手段６３を横方向に移動させると、操作手段６３は、相対的に傾斜面５５ａに沿って下の方に移動し、傾斜面５５ａを介して回転規制部材５５を押し上げるようになっている。また、操作手段６３を反対方向に移動させると回転規制部材５５は、下向きに付勢されているので、回転規制部材５５は下方にスライド移動するようになっている。
【００８４】
以下、上述の顕微鏡５１における対物レンズ８ａの切り替えについて説明する。回転規制部材５５は、通常図１０−２に示すように、その板状面の一方側面がレボルバ回転体５３の側面５３ａに当接され、レボルバ回転体５３の回転を阻止する状態となっている。そして、対物レンズ８ａを切り替えるためにレボルバ回転体５３を回転させる際には、操作手段６３によってこの回転規制部材５５を上方にスライドさせる。そうすると図１０−１に示すように、回転規制部材５５の側面と、レボルバ回転体５３の側面５３ａとの係合を解除され、レボルバ回転体５３を回転可能状態となる。この状態において、レボルバ回転体５３を回転させ、対物レンズ８ａの切り替えを行う。また、この顕微鏡５１は、図示しないクリック機構によって、対物レンズ８ａの切り替え位置決めができる。
【００８５】
また、支柱５を回動させて、所望の角度から標本Ａを観察する斜め観察を行う際にも、不用意にレボルバ回転体５３が回転することを防止することができる。また、顕微鏡から光学系を取り外して観察する取り外し観察時においても、レボルバ回転体５３の不用意な回転を確実に防止することができる。
【００８６】
更に、回転規制部材５５とレボルバ回転体５３の係合を解除した状態では、従来の顕微鏡と同様にレボルバ回転体５３を回転させることができるので、レボルバ回転体５３の回転操作性を良好に保つことができる。
【００８７】
尚、回転規制部材５５の設置場所である回転規制部材設置部５７は、本実施の形態４においては、ズームヘッド５２の右側面側に形成されているが、ズームヘッド５２の左側面側、正面側、背面側でもよい。また、コイルバネ５６は他の付勢手段でもよい。
【図面の簡単な説明】
【００８８】
【図１】本発明の実施の形態１における顕微鏡の構成を示す側面図である。
【図２−１】同上の顕微鏡に備えられたレボルバの構成を示す断面図である。
【図２−２】同上の部分拡大断面図である。
【図３】本発明の実施の形態２における顕微鏡の構成を示す側面図である。
【図４−１】本発明の実施の形態２におけるレボルバの要部を示す平断面図である。
【図４−２】同上のレボルバの回転可能状態を示す平断面図である。
【図５】同上のレボルバの要部を示す側断面図である。
【図６】本発明の実施の形態３における顕微鏡の構成を示す側面図である。
【図７−１】同上の顕微鏡に備えられた状態切替手段の要部を示す背断面図である。
【図７−２】同上の背面図である。
【図８】同上の観察装置のレボルバ回転体を示す平面図である。
【図９−１】本発明の実施の形態４における顕微鏡においてレボルバ回転体の回転を阻止した状態を示す側面図である。
【図９−２】同上のレボルバ回転体の回転が可能な状態を示す側面図である。
【図１０−１】同上のレボルバの要部を示す左側断面図である。
【図１０−２】同上の回転規制部材をレボルバ回転体に係合した状態を示す左側断面図である。
【符号の説明】
【００８９】
１     顕微鏡
５     支柱
７     ズームヘッド（支持部）
８     レボルバ回転体
８ａ   対物レンズ
１１   クリック機構
１２   状態切替手段
１３   係止部材
１４   係合部
２０   顕微鏡
２１   状態切替手段
２３   レボルバ回転体
２３ａ 回転軸（係合部）
２４   係止部材
３１   顕微鏡
３６   レボルバ回転体
３７   状態切替手段
３８   係止部材
３９   レボルバ側係合部
４０   ベース部側係合部
５１   顕微鏡
５３   レボルバ回転体
５４   状態切替手段
５５   回転規制部材
【図１】
2010145662.tif 000003
【図２−１】
2010145662.tif 000004
【図２−２】
2010145662.tif 000005
【図３】
2010145662.tif 000006
【図４−１】
2010145662.tif 000007
【図４−２】
2010145662.tif 000008
【図５】
2010145662.tif 000009
【図６】
2010145662.tif 000010
【図７−１】
2010145662.tif 000011
【図７−２】
2010145662.tif 000012
【図８】
2010145662.tif 000013
【図９−１】
2010145662.tif 000014
【図９−２】
2010145662.tif 000015
【図１０−１】
2010145662.tif 000016
【図１０−２】
2010145662.tif 000017